(57)【要約】【課題】分身を表示し、任意期間経過後の自らの体型および健康状態を予測することができる分身健康・体型予測システムを提供する。【解決手段】十字キー３，各種ボタン４により身体データ，健康診断データ，食生活データ，生活習慣データを入力し、例えば５年後の状態をシミュレーションし、現在の分身６と５年後の分身７の体型を表示するとともに太ることが予想される場合にはこれに対する対処方も表示される。健康メータ，ライフメータも表示することができる。【選択図】図１
2007310632.tif 000002
【特許請求の範囲】
【請求項１】
各個人の体型を特定するための身体データ，健康状態を数値，グラフなどで表示する健康診断データ，個人の生活行動に関する生活習慣データ，食生活の内容および嗜好品内容の食生活データおよび病気に関する病気データを入力するための入力部と、
分身を構成する体型各部分についてその形状の候補を複数揃える２Ｄ分身素材データと、病気の候補を複数揃える病気名データとを格納する記憶部と、
前記入力部から入力される身体データおよび前記健康診断データと、前記生活習慣データおよび食生活データに基づき現在および任意の期間後の健康メータおよびライフメータを算出する健康ライフメータ算出部と、
現在から任意の期間後までの健康メータおよびライフメータを前記健康ライフメータ算出部によりシミュレーションする状態シミュレーション部と、
前記入力部から入力される身体データに対し、前記２Ｄ分身素材データより分身の各部分を選択することにより生成される基本的な体型を元に、前記状態シミュレーション部でシミュレーションされた健康メータおよびライフメータに基づく分身の体型を生成する２Ｄ分身生成部と、
前記２Ｄ分身生成部で生成した体型の画像を表示する表示部と、
前記健康メータと前記病気データとから現在および任意の期間後の可能性のある病気名を示して診断する診断部とを備え、
任意の期間後の分身の体型を表示するとともにそのときの健康状態および病気の可能性を表示することを特徴とする分身健康・体型予測システム。
【請求項２】
前記記憶部に健康メータ，ライフメータに対し対処すべき対処データを有し、
任意の期間後の健康メータ，ライフメータに基づき対処方を出力する手段を有することを特徴とする請求項１記載の分身健康・体型予測システム。
【請求項３】
前記身体データは、生年月日，身長，体重，性別，血液型を含み、
前記健康診断データは、視力，血圧，尿検査結果データ，血液検査結果データを含み、  生活習慣データは、運動量，睡眠時間，仕事内容，生活地域を含み、
食生活データは、毎回の食事メニュー，食事時刻，１日のアルコール量およびタバコ本数を含むことを特徴とする請求項１または２記載の分身健康・体型予測システム。
【請求項４】
前記健康メータは、肥満度，血圧，肺機能，肝機能，糖代謝，腎機能および脂質のデータを含み、
前記ライフメータは、健康年齢と生命危険度のデータを含むことを特徴とする請求項１，２または３記載の分身健康・体型予測システム。
【発明の詳細な説明】
【技術分野】
【０００１】
本発明は、将来における自らの体型および健康状態などを分身画像で表示することにより予測する分身健康・体型予測システムに関する。
【背景技術】
【０００２】
自らの分身を表示するものとして従来より顔や服装など外見的な部分を替えることができるアバターシステムが存在するが、このシステムはアバターの内面的な部分については全く触れるものではなく、その変化についても、外見の服装や眼鏡などの装飾品のみであり、時間の変化に対応して痩せる，太るなどの身体の形状を変化させるものではない。
【０００３】
ところで、自らの健康管理を行うシステムとしてユーザに肥満防止を促すとともに生活習慣病の予防を可能にして医療費の削減効果を図る健康管理システムが提案されている（特許文献１）。
この提案は運動パターンを測定する運動測定装置からのパターンデータをパソコンに入力し、運動パターンデータに含まれる体重および運動時間に基づいて消費カロリーを演算し、過去からの消費カロリーの推移をグラフ化して表示するようにしたものである。プラニングによって目標を定め、目標値になるような運動量を運動測定装置を利用して行うこともできるもので、現在の肥満度を示すキャラクタ（分身）の形を表示し、目標とする減量すべきキャラクタの形を表示することができるものである。
【０００４】
この健康管理システムによれば、運動測定装置を用いてユーザが行った運動に対しての現在の状態を示し、ユーザの肥満防止と生活習慣病の予防の目的を達成することができるが、現在の食生活および生活習慣から将来の任意の時期にどのような状態の体型になり、どのような健康状態（病気の可能性）にあるかを知るものではない。
【特許文献１】特開２００４−２２７５２２号公報
【特許文献２】特開２００２−２３３５０７号公報
【発明の開示】
【発明が解決しようとする課題】
【０００５】
また、健康管理のバロメータとして自分の分身である写真画像をキャラクタ化してリアル感のある健康管理を可能とする健康状態管理システムが提案されている（特許文献２）。
この提案は、１日における食のカロリー摂取量と運動のエネルギー消費量から本人の健康状態を判定し、判定結果について毎食後、予め用意された本人のキャラクタ画像にリアルタイムに反映させるものである。
【０００６】
すなわち、実際に摂取したカロリーおよび運動のエネルギー消費量から今の状態の健康を管理するもので、現状の状態をキャラクタの形に反映表示するものであり、将来どのような体型になって、どのような健康状態で病気になっている可能性があるかを求めることはできない。
【０００７】
本発明の目的は、自らの身体データに基づく分身を表示し、任意期間経過後の自らの体型および健康状態（どのような病気になる可能性があるか）をシミュレーションして予測することができる分身健康・体型予測システムを提供することにある。
【課題を解決するための手段】
【０００８】
前記目的を達成するために本発明の請求項１は各個人の体型を特定するための身体データ，健康状態を数値，グラフなどで表示する健康診断データ，個人の生活行動に関する生活習慣データ，食生活の内容および嗜好品内容の食生活データおよび病気に関する病気データを入力するための入力部と、分身を構成する体型各部分についてその形状の候補を複数揃える２Ｄ分身素材データと、病気の候補を複数揃える病気名データとを格納する記憶部と、前記入力部から入力される身体データおよび前記健康診断データと、前記生活習慣データおよび食生活データに基づき現在および任意の期間後の健康メータおよびライフメータを算出する健康ライフメータ算出部と、現在から任意の期間後までの健康メータおよびライフメータを前記健康ライフメータ算出部によりシミュレーションする状態シミュレーション部と、前記入力部から入力される身体データに対し、前記２Ｄ分身素材データより分身の各部分を選択することにより生成される基本的な体型を元に、前記状態シミュレーション部でシミュレーションされた健康メータおよびライフメータに基づく分身の体型を生成する２Ｄ分身生成部と、前記２Ｄ分身生成部で生成した体型の画像を表示する表示部と、前記健康メータと前記病気データとから現在および任意の期間後の可能性のある病気名を示して診断する診断部とを備え、任意の期間後の分身の体型を表示するとともにそのときの健康状態および病気の可能性を表示することを特徴とする。
本発明の請求項２は請求項１記載の発明において前記記憶部に健康メータ，ライフメータに対し対処すべき対処データを有し、任意の期間後の健康メータ，ライフメータに基づき対処方を出力する手段を有することを特徴とする。
本発明の請求項３は請求項１または２記載の発明において前記身体データは、生年月日，身長，体重，性別，血液型を含み、前記健康診断データは、視力，血圧，尿検査結果データ，血液検査結果データを含み、生活習慣データは、運動量，睡眠時間，仕事内容，生活地域を含み、食生活データは、毎回の食事メニュー，食事時刻，１日のアルコール量およびタバコ本数を含むことを特徴とする。
本発明の請求項４は請求項１，２または３記載の発明において前記健康メータは、肥満度，血圧，肺機能，肝機能，糖代謝，腎機能および脂質のデータを含み、前記ライフメータは、健康年齢と生命危険度のデータを含むことを特徴とする。
【発明の効果】
【０００９】
前記構成によれば、家庭などで自分の日々のデータを入力していくことにより、毎日の健康管理が可能となり、任意の期間後の将来の自らの体型，健康状態をシミュレーションできるため、予め将来の自分の姿を予測することができる。また病気が予測される場合には、適切な対処法を指示してくれるので、病気予防ができる。ダイエット管理にも有効であり、日々の体重管理，食生活の管理が簡単にできる。医者に行く前に病気予防が対処できるので、医療費や健康保険料の削減にもつながる。
【発明を実施するための最良の形態】
【００１０】
以下、図面を参照して本発明の実施の形態を詳しく説明する。
図１は、本発明による分身健康・体型予測システムを適用した携帯ゲーム機の外観図である。
携帯ゲーム機１は中央に液晶表示部５が配置され、液晶表示部５の左側に各種ボタン４が、右側に十字キー３がそれぞれ配置されている。
画面には現在の分身６の体型と、５年後のシミュレーションした予想される分身７の体型が示されている。５年後はかなり太った状態となり、画面中にはその状態に対する対処方の例として「もっと運動しなくちゃ」「かなりやばい」の文言も表示されている。
【００１１】
図２は、図１の携帯ゲーム機の回路の実施の形態を示すブロック図である。
携帯ゲーム機は分身健康・体型予測システムのアプリケーションがインストールされて分身健康・体型予測を行う機能を有しており、ＣＰＵ１１，メモリ部１０，各種ボタン３および４よりなる入力部，画像処理部１２および液晶表示部５を備えている。
メモリ部１０には病気名データ１０ａ，２Ｄ分身素材データ１０ｂ，診断プログラム１０ｃ，分身体型・健康予測制御プログラム１０ｄが格納されている。
各種ボタン３，十字キー４よりなる入力部からは、身体データ（生年月日，性別，血液型，身長，体重）と，健康診断データ（視力，血圧，アレルギー，尿検査結果，血液検査結果）が入力される。また、食生活データで毎日入力するデータとして毎回の食事メニューが入力され、さらに食事時間，アルコール量，タバコ本数が入力される。食事時間，アルコール量，タバコ本数は変わればその日におけるそのデータは変更データとなる。
【００１２】
さらに生活習慣データ（生活地域，仕事内容，睡眠時間，運動量）も入力される。同様に変動があれば、その時点で変動データに変更する。
この他に病気データ（現在の病気名，過去の病歴，服用している薬，親族の病歴）も入力され、さらにサプリメントを服用していれば、そのデータが入力される。
【００１３】
ＣＰＵ１１は健康ライフメータ演算部１１ａ，２Ｄ分身生成部１１ｂ，状態シミュレーション部１１ｃ，診断部１１ｄの各機能を備えている。
健康ライフメータ演算部１１ａ，２Ｄ分身生成部１１ｂおよび状態シミュレーション部１１ｃは分身体型・健康予測制御プログラム１０ｄの一部を読み出して実行することにより実現されるものである。
健康ライフメータ演算部１１ａは現在の身体データ，健康診断データおよび食生活データ，生活習慣データを演算して健康メータのデータおよびライフメータのデータを得る。
２Ｄ分身生成部１１ｂは身体データから身体的特長を計算し、ユーザが分身の各部分を選択する２Ｄ分身素材データにより基本的な分身体型を生成し、さらにシミュレーションされる健康メータ，ライフメータのデータより分身体型を更新する。
【００１４】
状態シミュレーション部１１ｃは入力される時間データから、経過後の状態の健康メータ，ライフメータのデータをシュミレーションする。
診断部１１ｄは診断プログラム１０ｃを読み出し実行することにより実現され、身体データや健康診断データおよび健康メータ，ライフメータの結果から健康状態や病名を診断する。
画像処理部１２はＣＰＵ１１からのコマンドに基づき、演算出力される画像データを処理して液晶表示部５に表示する。
【００１５】
図３は、分身の現在および１０年後の外形および健康状態の表示例を説明するための図である。
図３（ａ）は、現在の分身について年齢等の身体データと、分身の各部分についてユーザが選択する形状の２Ｄ分身素材データと、生活習慣と食生活のデータとから算出される健康メータとライフメータを用いて、２Ｄ分身生成部１１ｂがその体型を生成して液晶表示部５に表示した分身の画像例である。１０年後には入力される生活習慣と食生活のデータとから健康メータ，ライフメータがシミュレーションされ、その図３（ｂ）に示すような体型になる。
【００１６】
現在と１０年後について表示されている健康メータの内容は肥満度，血圧，肺機能，肝機能，糖代謝，腎機能，脂質で表される。（ａ）の現在の状態は肥満度，糖代謝，脂質は基準の範囲内であるが、血圧，肝機能，腎機能は注意の数値であり、さらに肺機能は基準値よりオーバーした値となっている。
１０年後の健康メータの内容は生活習慣と食生活のデータにより（ｂ）に示すような値となる。糖代謝のみが基準の範囲内であり、肥満度，血圧，脂質が注意の数値となり、残りの肺機能，肝機能，腎機能は基準値をオーバーすることが予測できる。
【００１７】
ライフメータの健康年齢は以下のように定義付けされる。
健康診断の結果を見るとさまざまな検査値が並び、それぞれに対して正常か異常かの評価がなされるが、全体として自分が健康かどうかは不明である。健康年齢とは上記のように健康診断の結果をもとに全体的な健康度を、実年齢とは別の「もうひとつの年齢」として数値化した指標である。健康診断の検査値の中には加齢の影響を受けて上下しやすいものが存在する。そこで健康年齢の算出にあたっては、実年齢ごとに基準値を変化させ、実年齢に応じた健康度を算出するようにしている。健康年齢と実年齢が同じであれば平均的な健康度であると判断できる。また、健康年齢が実年齢を上回れば上回るほど健康度は低くなる。したがって、図３の（ａ）の現在の状態の健康年齢は３２であり、実際の年齢が２２歳であるので、健康的には実年齢に対し１０歳も老けていることになる。また、（ｂ）の１０年後の健康年齢は、６２歳であり、１０年後の実年齢は３２歳であるので、３０歳も老けた状態になることが予想される。
【００１８】
つぎに生命危険度とは数値化して示される指標で、数値が高い程、生命の危険度が増加し、１００が最も危険な状態である。これは健康メータの各数値および病歴や現在病気を患っておれば、その病気を基に所定の基準値から算出されるものである。したがって、（ａ）の現在では生命危険度は６０であり、かなり危険度が高く注意するレベルである。１０年後は、８０となってさらに生命危険は上昇することが予想される。
【００１９】
以上の実施の形態は、携帯ゲーム機に本発明による分身健康・体型予測システムを実行するアプリケーションをインストールしておき、必要なデータを入力し演算させてシミュレーション結果を表示させる例を示したが、携帯ゲーム機のみならず、図４に示すように分身健康・体型予測システムを実行するアプリケーションをインストールする対象は携帯電話機，ＰＤＡ，パソコンなどであってもよく、それぞれの装置においてアプリケーションを実行することにより同様に実施できるものである。
【産業上の利用可能性】
【００２０】
ユーザ自身の分身を表示し、将来における自らの体型および健康状態をシミュレーションして予測する分身健康・体型予測システムであり、携帯端末や据え置き装置などとして適用できる。
【図面の簡単な説明】
【００２１】
【図１】本発明による分身健康・体型予測システムを適用した携帯ゲーム機の外観図である。
【図２】図１の携帯ゲーム機の回路の実施の形態を示すブロック図である。
【図３】分身の現在および１０年後の外形および健康状態の表示例を説明するための図である。
【図４】本発明を適用すべき他の装置の例を示す図である。
【符号の説明】
【００２２】
１  携帯ゲーム機  
２  電源スイッチ  
３  十字キー  
４  各種ボタン  
５  液晶表示部  
６  現在の分身
７  ５年後の分身
１０  メモリ部
１１  ＣＰＵ
１２  画像処理部
１３  バス
【図１】
2007310632.tif 000003
【図２】
2007310632.tif 000004
【図３】
2007310632.tif 000005
【図４】
2007310632.tif 000006